(57)【要約】【課題】風量を大きくしても、空気の吸引による気流や音を感じさせることがなく、空気を快適に清浄化していくことができる空気清浄機を提供する。【解決手段】筒状の周壁６を備え、底部５に吹出部８を備えたフィルター受け２に、立体フィルター３の下端部が差込みセットされ、該受け２の底部下方にファン４が備えられ、ファン４の駆動により、周囲の空気が、立体フィルター３の天面側３ａと側面側３ｂの両方からフィルター３内に吸い込まれ、受け２の底部５の吹出口８を通じて吹き出すようになされている。立体フィルター３は、例えば、面状材を渦巻き状に巻いた円柱状フィルターからなる。また、立体フィルター３は、側面側３ｂから入る空気の通気抵抗が、天面側３ａから入る空気の通気抵抗より大のものからなっているとよい。【選択図】      図１
2005103412.tif 000002
【特許請求の範囲】
【請求項１】
筒状の周壁を備え、底部に吹出部を備えたフィルター受けに、立体フィルターの下端部が差込みセットされ、
該受けの底部下方にファンが備えられ、ファンの駆動により、周囲の空気が、立体フィルターの天面側と側面側の両方からフィルター内に吸い込まれ、受けの底部の吹出口を通じて吹き出すようになされていることを特徴とする空気清浄機。
【請求項２】
前記立体フィルターが短柱状フィルターからなる請求項１に記載の空気清浄機。
【請求項３】
前記立体フィルターが面状材を渦巻き状に巻いた円柱状フィルターからなる請求項１又は２に記載の空気清浄機。
【請求項４】
前記立体フィルターは、側面側から入る空気の通気抵抗が、天面側から入る空気の通気抵抗より大のものからなる請求項１乃至３のいずれか一に記載の空気清浄機。
【請求項５】
上端閉じ下端開放の筒状の消音通気カバー体が前記フィルターの天面側及び側面側を囲むようにセットされている請求項１乃至４のいずれか一に記載の空気清浄機。
【発明の詳細な説明】
【技術分野】
【０００１】
本発明は、屋内に設置されて空気中の埃や塵、有害化学物質等を除去するのに用いられる空気清浄機に関する。
【背景技術】
【０００２】
従来より、種々の空気清浄機が提供されているが、風量を大きくすると、吸引される空気の気流を感じたり、空気吸引音がうるさく感じられる場合がある。
【発明の開示】
【発明が解決しようとする課題】
【０００３】
本発明は、上記のような問題点に鑑み、風量を大きくしても、空気の吸引による気流や音を感じさせることがなく、空気を快適に清浄化していくことができる空気清浄機を提供することを課題とする。
【課題を解決するための手段】
【０００４】
上記の課題は、筒状の周壁を備え、底部に吹出部を備えたフィルター受けに、立体フィルターの下端部が差込みセットされ、
該受けの底部下方にファンが備えられ、ファンの駆動により、周囲の空気が、立体フィルターの天面側と側面側の両方からフィルター内に吸い込まれ、受けの底部の吹出口を通じて吹き出すようになされていることを特徴とする空気清浄機によって解決される。
【０００５】
この空気清浄機では、フィルターが立体フィルターからなっていて、その天面側と側面側の両方から空気を吸引するようになされているので、空気の吸引面積が広く、そのため、風量を大きくしても、空気はゆっくりとフィルターに吸い込まれていき、空気の吸引による気流や音を感じさせることがなく、空気を快適に清浄化していくことができる。しかも、フィルター受けが周壁部を備え、立体フィルターの下端部が差し込まれてセットされるようになされているので、立体フィルターを受けに簡素な構造で安定良く受けさせることができる。
【０００６】
前記立体フィルターが短柱状フィルターからなる場合は、立体フィルターの取扱いが容易であると共に、コンパクトでありながら天面側と側面側とに空気の広い吸引面を確保することができる。特に、立体フィルターが面状材を渦巻き状に巻いた円柱状フィルターからなる場合は、短柱状フィルターの製作を容易にすることができる。
【０００７】
また、立体フィルターは、側面側から入る空気の通気抵抗が、天面側から入る空気の通気抵抗より大のものからなるのが好ましい。即ち、本発明の空気清浄機は、フィルターで清浄化した空気を、受けの底部の吹出口を通じて横方向に曲がってあるいは延長方向に真っ直ぐ吹き出す構造をしており、それとの関係で、天面側からの空気の吸込みを勢いのあるものにし、側面側からの空気の吸込みをゆっくりしたものにすることで、空気のショートサーキットを効果的に防ぐことができ、それでいて、立体フィルターの側面側からの吸引も行って、空気の吸引による気流や音を感じさせずに空気を快適に清浄化していくことができる。
【０００８】
具体的には、吸込空気の８０％程度が天面側から吸い込まれ、残り２０％程度が側面側から吸い込まれるようにするのがよいが、空気清浄機が設置される屋内環境や、空気の吹出方向が水平方向か下方かなどによって適宜決められてよい。
【０００９】
この場合に、特に、立体フィルターが面状材を渦巻き状に巻いた円柱状フィルターからなる場合は、側面側と天面側とで上記のように通気抵抗の違う立体フィルターを容易に設計、製作することができる。
【００１０】
また、上記の各空気清浄機において、上端閉じ下端開放の筒状の消音通気カバー体が前記フィルターの天面側及び側面側を囲むようにセットされている場合は、消音通気カバー体の消音作用によって、空気が立体フィルターに吸い込まれる際の空気吸込音をより一層効果的に防ぐことができる。
【発明の効果】
【００１１】
本発明は、以上のとおりのものであるから、風量を大きくしても、空気の吸引による気流や音を感じさせることがなく、空気を快適に清浄化していくことができる。
【発明を実施するための最良の形態】
【００１２】
次に、本発明の実施最良形態を図面に基づいて説明する。
【００１３】
図１及び図２に示す第１実施形態の空気清浄機１において、２はフィルター受け、３は立体フィルター、４はファンである。
【００１４】
本実施形態で用いられている立体フィルター３は、図２に示すように、それ自体でフィルターとしての機能を備えた面状材を渦巻き状に巻いた短円柱状のフィルターからなっていて、その天面部、側面部及び底面部のすべてにおいて空気の流通ができるようになっている。
【００１５】
フィルター受け２は、図２（イ）に示すように、底板部５の上に円筒状の周壁部６が備えられたものからなっていて、立体フィルター３の下端部を周壁部６内にしっくりと差し込むだけで該フィルター３がフィルター受け２に保持されるようになされている。
【００１６】
また、このフィルター受け２の周壁部６内において、底板部５には空気吹出口８が備えられると共に、それに面するようにファン４が備えられ、かつ、立体フィルター３の差込み状態において、底板部５と立体フィルター３の底面とが一定の間隔をおくようにするための通気スペーサー７が備えられ、、立体フィルター３は、その底面がこの通気スペーサー７に支承されるようになされている。これにより、ファン４を駆動すると、立体フィルター３に吸い込まれた空気がその底面の全体から吸い出されて、底板部５の空気吹出口８から屋内に吹き出すようになされている。
【００１７】
また、フィルター受け２の底板部５の下面側には脚９…が備えられていて、図１に示すように、底板部５の吹出口８から出た空気が、設置面１０に沿って水平放射方向に吹き出すようになされている。なお、本実施形態では、脚９…として、キャスターが用いられているが、フィルター３の底板部５の下面を設置面１０から離間させることができるようなものであれば、移動用でない脚部が備えられていてもよい。
【００１８】
この空気清浄機１において、ファン４を駆動すると、図１に示すように、屋内の空気は、立体フィルター３の天面側３ａと側面側３ｂの両方からフィルター３内に吸い込まれ、フィルター３で清浄化された後、フィルター受け２の底板部５の吹出口８を通じて吹き出し、その後、設置面１０に沿うようにして水平放射方向に放出されていく。
【００１９】
そして、この空気清浄機１において、その立体フィルター３は、側面側３ｂから入る空気の通気抵抗が、天面側から入る空気の通気抵抗より大に設計されていて、天面側３ａからの空気の吸込みが、側面側３ｂからの空気の吸込みよりも勢いのあるものにされている。
【００２０】
立体フィルター３として、上記のような、それ自体でフィルターとしての機能を備えた面状材を渦巻き状に巻いた短円柱状のフィルターを用いることにより、側面側３ｂから入る空気の通気抵抗を天面側３ａから入る空気の通気抵抗より大きくしたり、小さくしたり、同等にしたりする設計や製作を、面状材の通気抵抗や巻きの強弱を変えることによって、容易に行うことができる。
【００２１】
上記の空気清浄機では、フィルター３が立体フィルターからなっていて、その天面側３ａと側面側３ｂの両方から空気を吸引するようになされているので、空気の吸引面積が広く確保され、そのため、風量を大きくしても、空気はゆっくりとフィルター３に吸い込まれていき、空気の吸引による気流や音を感じさせることがなく、空気を快適に清浄化していくことができる。
【００２２】
しかも、立体フィルター３は、側面側３ｂから入る空気の通気抵抗が、天面側から入る空気の通気抵抗より大に設計されているので、吹出空気が設置面１０に沿うようにして水平放射方向に放出されていくこととの関係で、吸込空気が吹出空気との間にショートサーキットが形成されるのが効果的に防がれ、それでいて、立体フィルター３の側面側３ｂからの吸引も行われて、空気の吸引による気流や音を感じさせずに空気を快適に清浄化していくことができる。
【００２３】
また、上記の空気清浄機１では、立体フィルター３は短柱状のものからなっているので、立体フィルター３の取扱いが容易であると共に、コンパクトでありながら天面側３ａと側面側３ｂとに空気の広い吸引面を確保することができ、しかも、この短柱状フィルター３は、面状材を渦巻き状に巻いた円柱状フィルターからなっているので、短柱状フィルター３を容易に製作することができる。
【００２４】
図３及び図４に示す第２実施形態の空気清浄機１は、第１実施形態の空気清浄機１に、上端閉じ下端開放の筒状の消音通気カバー体１１が備えられ、該カバー体１１が、立体フィルター３の天面側３ａ及び側面側３ｂを覆うように、フィルター受け２の周壁部６の外側の底板部５上に設置されて備えられている。なお、カバー体１１は吸込空気の空気音を消す作用のあるものであればよく、例えば、ブリ材からなるカバー体などが好適に用いられる。この空気清浄機１では、消音通気カバー体１１の消音作用によって、空気が立体フィルター３に吸い込まれる際の空気吸込音をより一層効果的に防ぐことができる。
【００２５】
以上に、本発明の実施形態を示したが、本発明はこれに限られるものではなく、発明思想を逸脱しない範囲で各種の変更が可能である。例えば、円柱状フィルターとしてスポンジ状のものが用いられてもよいし、通気抵抗を天面側と側面側とで異ならせるのに、スポンジ状の円柱フィルターの側面側を通気抵抗の大きい面状フィルターで覆うような構成のフィルターが用いられてもよい。
【００２６】
また、短柱状フィルターとして、円柱状に限らず、断面角形状の柱状フィルターが用いられてもよい。更に、立体フィルターとして、上記のような短柱状フィルターのほか、各種立体形状のフィルターが用いられてもよい。
【００２７】
また、上記の実施形態では、清浄化された空気が設置面１０に沿う水平方向に吹き出すようになされているが、下方に吹き出すように構成されていてもよい。更に、本発明の空気清浄機を用いる場合の姿勢は、上下逆であってもよいし、横向きであってもよいし、好みの向きに向けて使用することができるものであることはいうまでもなく、その場合に立体フィルター３がフィルター受け２から脱落しないような手段を適宜に講じるべきことは当然で、請求項に記載の空気清浄機もそのように解釈すべきものである。
【図面の簡単な説明】
【００２８】
【図１】第１実施形態の空気清浄機の作動状態を示す断面正面図である。
【図２】図（イ）は立体フィルターとフィルター受けとを分離状態にして示す断面正面図、図（ロ）は同空気清浄機の斜視図である。
【図３】第２実施形態の空気清浄機の作動状態を示す断面正面図である。
【図４】図（イ）は同空気清浄機の断面正面図、図（ロ）は消音通気カバー体を分離させて示す斜視図である。
【符号の説明】
【００２９】
１…空気清浄機
２…フィルター受け
３…立体フィルター
３ａ…天面側
３ｂ…側面側
４…ファン
５…底板部
６…周壁部
８…吹出口
１１…消音通気カバー体
【図１】
2005103412.tif 000003
【図２】
2005103412.tif 000004
【図３】
2005103412.tif 000005
【図４】
2005103412.tif 000006